(57)【要約】【課題】構成部品を交換、追加および削除することなく、特性を変える調整機能を有するパターヘッドを提供する。【解決手段】打撃面であるフェース面１０１を形成するフェース部材１００と、前記フェース部材１００の背面両端部にボルト３００にて取り付けられる錘部材２００Ｌおよび錘部材２００Ｒを主な部材としてパターヘッドを構成する。前記錘部材２００Ｌおよび錘部材２００Ｒを、ボルト３００の軸を中心として回転させることで、前記錘部材２００Ｌおよび錘部材２００Ｒの質量の一部分である、移動する質量部分２０１Ｌおよび移動する質量部分２０１Ｒを移動させ、パターヘッドを構成する質量の配分を変えることにより、パターヘッドの特性を決める要素となる重心位置およびシャフト軸周りの慣性モーメントを変化させて特性を変える。【選択図】図１
2020103861.tif 000002
【特許請求の範囲】
【請求項１】
打撃部であるフェース面（１０１）を形成するフェース部材（１００）、前記フェース部材に取り付けられる錘部材（２００Ｌ・２００Ｒ）、前記フェース部材（１００）と前記錘部材（２００Ｌ・２００Ｒ）を連結するための軸部材（３００）で主に構成され、前記錘部材（２００Ｌ・２００Ｒ）は前記軸部材（３００）を軸として回転し、前記錘部材（２００Ｌ・２００Ｒ）は回転軸に対して非対称な形状で形成され、前記錘部材（２００Ｌ・２００Ｒ）の質量の一部分（２０１Ｌ・２０１Ｒ）を回転にて任意または特定の位置へ移動し、前記フェース部材（１００）に固定することで、特性の調整が可能であることを特徴とするパターヘッド。
【請求項２】
前記フェース部材（１００）と前記錘部材（２００Ｌ・２００Ｒ）の接合部に、ダンパー部材（５００）を備えていることを特徴とする請求項１記載のパターヘッド。
【請求項３】
前記フェース部材（１００）と前記錘部材（２００Ｌ・２００Ｒ）を固定する際に、ノックピン（４００）とノック穴（１０５）を用いて取り付け位置を決めることを特徴とする請求項１記載のパターヘッド。
【発明の詳細な説明】
【技術分野】
【０００１】  本発明はゴルフ用パターに関り、特に特性が変更可能なパターヘッドに関する。
【技術背景】
【０００２】  同じ質量のパターヘッドであっても、その形状により重心の位置とシャフト軸周りの慣性モーメントが異なると、打撃時のパターヘッドの動き方や使用者が感じる感触等の特性が変わるため、現在では様々な形状のものが提供されている。
【０００３】  このように、パターヘッドは形状、すなわち、質量の配分で特性が変わるため、構成部材の一部分を交換し、形状を変えることによる調整機能を有したものが提供されている。
【０００４】  例えば、特許文献１には、パターヘッドの特性を変更するため、打撃面を形成する打撃フェース部と、前記打撃フェース部の打撃面の背面に取り付けられる複数の形状あるいは重心位置を有するバック部からなり、前記バック部は、前記打撃フェース部に対して取り換え固定可能に構成されていることを特徴とするパターヘッドが記載されている。
【０００５】  また、特許文献２には、バック部材と本体部材との交換可能な取り付けが、ネジ一本のみでなされるので、ゴルファー自身が容易にパターヘッドのバック部材の取り外しができ、パターヘッドの形状を変えることができるので、外観はもちろん、重心位置、慣性モーメント、ラインの出し易さおよびセットし易さ等のパターの性能や特性を調節することができることを特徴とするパターヘッドと記載されている。
【先行技術文献】
【特許文献】
【０００６】
【特許文献１】特開２０１１−４８４９号公報
【特許文献２】特開２０１０−１４８６５２公報
【発明の概要】
【発明が解決しようとする課題】
【０００７】  特許文献１および特許文献２のものは、いずれも構成部材を交換することでパターヘッドの特性を変えることを目的とするものであるが、本発明はパターヘッドの構成部材を交換、追加および削除することなく、特性を変える調整機能を提供することを課題とする。
【課題を解決するための手段】
【０００８】  上記課題を解決するため、本発明のパターヘッドは、打撃部であるフェース面を形成するフェース部材、前記フェース部材に取り付けられる錘部材、前記フェース部材と前記錘部材を連結するための軸部材で主に構成され、前記錘部材は前記軸部材を軸として回転し、前記錘部材は回転軸に対して非対称な形状で形成され、前記錘部材の質量の一部分を回転にて任意または特定の位置へ移動し、前記フェース部材に固定することで、特性の調整が可能であることを特徴とする。【０００９】  また、本発明のパターヘッドは、前記フェース部材と前記錘部材の連結部分に、ダンパー部材を備えていることを特徴とする。【００１０】  さらに、本発明のパターヘッドは、前記フェース部材に前記錘部材を特定の位置に固定する際に、ノックピンとノック穴を用いて取り付け位置を決めることを特徴とする。
【発明の効果】
【００１１】  本発明のパターヘッドによれば、パターヘッドを構成する質量の一部分を、軸を中心とした回転で移動させることが可能であり、回転の前後ではパターヘッドを構成する質量の配分が異なるため、パターヘッドの特性を決める要素となる重心位置およびシャフト軸周りの慣性モーメントを変えることができる。【００１２】  また、本発明のパターヘッドによれば、フェース部材と錘部材の連結部分にダンパー部材を挟むことにより、打撃時の衝撃および運搬中の振動等によるボルトの緩み、打撃時の振動でフェース部材と錘部材が触れることにより生じる不快な音を抑えることができる。【００１３】  さらに、本発明のパターヘッドによれば、締結部品を用いてフェース部材に錘部材を特定の位置に固定する場合は、ノックピンとノック穴を用いることで、正確な位置で締結することができる。【００１４】  よって、本発明のパターヘッドは、構成部材の交換、追加および削除が不要な、特性を変える調整機能を有する。
【図面の簡単な説明】
【００１５】
【図１】本実施形態に係るパターヘッドの第一形状を示した正面からの斜視図である。
【図２】本実施形態に係るパターヘッドの第二形状を示した正面からの斜視図である。
【図３】本実施形態に係るパターヘッドの第一形状での上面を示した図である。
【図４】本実施形態に係るパターヘッドの第二形状での上面を示した図である。
【図５】本実施形態に係るパターヘッドの第一形状での底面を示した図である。
【図６】本実施形態に係るパターヘッドの第二形状での底面を示した図である。
【図７】本実施形態に係るパターヘッドの第一形状を側面から示した図である。
【図８】本実施形態に係るフェース部材の背面からの斜視図である。
【図９】本実施形態に係るフェース部材の付属部品を除いた背面からの斜視図である
【図１０】本実施形態に係る錘部材の連結面からの斜視図である。
【図１１】本実施形態に係る錘部材の付属部品を除き、図１０を上下に反転した状態での、連結面からの斜視図である。
【図１２】本実施形態に係るボルトの正面からの斜視図である。
【発明を実施するための形態】
【００１６】  以下に、本発明の実施形態について図面を参照にて説明する。
【００１７】  図１から図１１に示すように、パターヘッド１０は、フェース面１０１を有するフェース部材１００と、前記フェース部材１００の背面両端部に取り付けられる錘部材２００Ｌおよび錘部材２００Ｒから主に構成され、前記フェース部材１００には、本発明の軸部材であり、また締結部品となるボルト３００と、本発明のダンパー部材となるＯリング５００を、前記錘部材２００Ｌおよび前記錘部材２００Ｒにはノックピン４００と、前記Ｏリング５００を備える。
【００１８】  また、図１から図７、図８および図１０に示すように、パターヘッド１０の錘部材２００Ｌおよび錘部材２００Ｒは、フェース面１０１の面に対して４５°傾いたフェース部材１００の背面両端面に取り付けられた、ボルト３００の軸を中心として回転が可能な構造であり、回転軸に対して非対称な形状となっている。前記錘部材２００Ｌおよび前記錘部材２００Ｒを回転させ、反転位置で固定することで、前記錘部材２００Ｌおよび前記錘部材２００Ｒの一部分である移動する質量部分２０１Ｌおよび移動する質量部分２０１Ｒの位置は移動し、パターヘッド１０を構成する質量の配分が変わる。なお、図１０は錘部材２００Ｒのみを示した図であり、錘部材２００Ｌの構造および形状は錘部材２００Ｒに対して鏡反転したものとなる。
【００１９】  すなわち、パターヘッド１０は、本発明の機構をフェース部材１００背面両端部のそれぞれに備えた実施形態であり、図１から図６に示すように、前記フェース部材１００に錘部材２００Ｌおよび錘部材２００Ｒは特定の位置で固定される。
【００２０】  図１、図３および図５は、フェース部材１００に錘部材２００Ｌおよび錘部材２００Ｒの移動する質量部分２０１Ｌおよび移動する質量部分２０１Ｒの端部がそれぞれ向き合う位置で固定された状態を示し、図２、図４および図６は、図１、図３および図５での前記錘部材２００Ｌおよび前記錘部材２００Ｒを反転した位置で固定した状態を示したものである。なお以降、本発明の説明では、前記した移動する質量部分２０１Ｌと移動する質量部分２０１Ｒの端部がそれぞれ向きあった状態で固定した形状を第一形状、第一形状に対して前記錘部材２００Ｌおよび前記錘部材２００Ｒを反転した状態で固定した状態を第二形状と記載する。
【００２１】  よって、パターヘッド１０の第一形状と第二形状では、フェース部材１００の中央部と移動する質量部分２０１Ｌおよび移動する質量部分２０１Ｒとの距離が異なるため、前記パターヘッド１０の第一形状と第二形状では、重心の位置およびシャフト軸周りの慣性モーメントが異なる。
【００２２】  パターヘッド１０の第一形状は、パターヘッド１０の第二形状に比べてフェース面１０１の中央背面、すなわち、打点の後方に配分される質量が大きいため、ゴルフボールが打撃でうける撃力は、前記パターヘッド１０の第二形状より前記パターヘッド１０の第一形状のほうが大きくなる。
【００２３】  また、パターヘッド１０の第二形状では、パターヘッド１０の第一形状に比べて、前記打点の後方に配分される質量は小さくなるが、打点から遠くに配分される質量は大きくなり、前記パターヘッド１０の第二形状の慣性モーメントは、前記パターヘッド１０の第一形状の慣性モーメントよりも大きくなる。
【００２４】  このように、パターヘッド１０は特性を変えることで、その形状、すなわち、外観も変化するが、少なくとも、パターヘッドの上面は目標位置を定めるのに容易な外観であることが望ましい。
【００２５】  そのため、パターヘッド１０の第一形状では、図３で示すように、トップブレード１０２は目標線に対して直交し、それに対するガイド面２０２Ｌおよびガイド面２０２Ｒの長辺が、それぞれ目標線に対して平行になることで、目標位置を定める際の補助となる。また、パターヘッド１０の第二形状では、図４に示すように、前記ガイド面２０２Ｌおよび前記ガイド面２０２Ｒに替わり、ガイド面２０３Ｌおよびガイド面２０３Ｒの長辺が、それぞれ目標線に対して平行となり目標位置を定める際の補助となることで、パターヘッド１０は第一形状、第二形状それぞれで、前記目標位置を定めるのに容易な外観を有している。
【００２６】  なお、図１、図２、図３および図４に示すシャフトまたはホーゼル取り付け用穴１０６の位置は一例であり、前記シャフトまたはホーゼル取り付け用穴１０６の位置を特定するものではなく、かつ、パターヘッド１０にホーゼル等を溶接等にて直接取り付ける場合は、前記シャフトまたはホーゼル取り付け用穴１０６は無くてもよい。
【００２７】  図７から図１０に示すように、錘部材２００Ｌおよび錘部材２００Ｒは、ボルト３００にてフェース部材１００の側面に空けられたボルト穴１０３を介し、ボルト３００に設けた雄ねじ部３０１と前記錘部材２００Ｌおよび前記錘部材２００Ｒに設けた雌ねじ部２０４をねじ締結することでフェース部材１００連結される。
【００２８】  ゴルフのルールにおいて、全ての部分は固定されていなければならない、と定められており、パターヘッド１０は、打撃時の衝撃および運搬中の振動等で、ねじ締結が緩むことを防ぐ機能が必要である。
【００２９】  パターヘッド１０は、図８に示すようにフェース部材１００の背面、また図１０に示すように錘部材２００Ｌおよび錘部材２００Ｒのフェース部材１００との接合面に、それぞれＯリング５００を備え、前記Ｏリング５００は、ねじ締結時の圧縮力に対する自身の反発力にて前記打撃時の衝撃および運搬中の振動等でボルト３００が緩むことを防ぐ。
【００３０】  また、Ｏリング５００をフェース部材１００と錘部材２００Ｌおよび錘部材２００Ｒのそれぞれの接合面の間に挟むことで、前記Ｏリング５００はダンパー材としての機能も兼ねる。
【００３１】  図９に示すように、Ｏリング５００はフェース部材１００に設けたＯリング固定用座繰り１０４に、また図１１に示すようにＯリング５００は錘部材２００Ｌおよび錘部材２００Ｒに設けたＯリング固定用座繰り２０６に配置され、Ｏリング固定用座繰り１０４およびＯリング固定用座繰り２０６の座繰り深さを、ボルト３００の締付け強さによるＯリング５００の潰し代を考慮して決定することで、前記フェース部材１００と前記錘部材２００Ｌおよび前記錘部材２００Ｒの連結部に隙間をあけて、パターヘッド１０の打撃時の振動にて前記フェース部材１００と前記錘部材２００Ｌおよび前記錘部材２００Ｒが触れることで発生する摺動音を防ぐ機能を持つ。なお、図１１は錘部材２００Ｒのみを、図１０を上下に反転した状態で示した図であり、錘部材２００Ｌの構造および形状は錘部材２００Ｒを鏡反転したものとなる。
【００３２】  また、パターヘッド１０のフェース部材１００の背面に装備されているＯリング５００は、後述する別の機能も兼ねる。
【００３３】  パターヘッド１０は、第一形状または第二形状いずれかの形状で使用されるため、フェース部材１００に錘部材２００Ｌおよび錘部材２００Ｒを、それぞれの形状に応じた特定の位置に固定する必要がある。
【００３４】  そのため、図８と図１０で示すように、パターヘッド１０の前記それぞれの形状を成すために、フェース部材１００への錘部材２００Ｌおよび錘部材２００Ｒの固定位置は、図８に示すフェース部材１００の背面の接合面に設けたノック穴１０５へ、図１０に示す錘部材２００Ｌおよび錘部材２００Ｒの接合面に装備したノックピン４００が挿入されることで成される。なお、前記したように図１０は錘部材２００Ｒのみを示した図であり、錘部材２００Ｌの構造および形状は錘部材２００Ｒを鏡反転したものとなる。
【００３５】  また、図１１に示すように、錘部材２００Ｌおよび錘部材２００Ｒの接合面にはノックピン４００を固定するためのノックピン取り付け用穴２０５が設けられている。なお、前記したように図１１は錘部材２００Ｒのみを、図１０を上下に反転した状態で示した図であり、錘部材２００Ｌの構造および形状は錘部材２００Ｒを鏡反転したものとなる。
【００３６】  これにより、パターヘッド１０のフェース部材１００に錘部材２００Ｌおよび錘部材２００Ｒは、前記それぞれの形状に応じた特定の位置に、正確に固定された後、ボルト３００にてねじ締結される。
【００３７】  図１２に示すように、パターヘッド１０のボルト３００は雄ねじ部３０１、Ｏリング取り付け用溝３０２、胴部３０３、頭部３０４および工具穴３０５で構成されている。
【００３８】  ボルト３００のＯリング取り付け用溝３０２には、図８に示すように、フェース部材１００側のＯリング５００装着され、また、前記Ｏリング５００は図９に示す、Ｏリング固定用座繰り１０４に納まる。Ｏリング取り付け用溝３０２の外径は、負荷のかかっていない状態での前記Ｏリング５００の内径より小さく、胴部３０３の外径は、負荷のかかっていない状態での前記Ｏリング５００の内径より大きく設計されており、負荷のかかっていない状態での前記Ｏリング５００はＯリング取り付け用溝３０２の幅間を遊動するが、フェース部材１００に設けたボルト穴１０３の内径は前記Ｏリング５００の外径より小さく設計されているため、前記Ｏリング５００によりボルト３００がフェース部材１００より脱落することを防ぐ。
【００３９】  図９に示すＯリング固定用座繰り１０４、および図１１に示すＯリング固定用座繰り２０６は、それぞれ座繰りの断面が逆円錐型になっており、Ｏリング５００に接する座繰りの壁面の位置が前記Ｏリング５００の赤道より上になることで、前記Ｏリング５００の脱落を防ぐ設計となっている。
【００４０】  図７および図１２には、ボルト３００の頭部３０４に設けた工具穴３０５の形状をトルクスネジで示してあるが、これは、ゴルフのルールで認められる調節の方法は、単に指やコインなどではなく、特殊工具の使用が求められるためであり、パターヘッド１０の工具穴３０５の形状は、ルールに適合していればトルクスネジに限定するものではない。
【００４１】  本発明の実施形態であるパターヘッド１０は、本発明の実施形態の一例であり、錘部材をフェース部材に取り付ける位置を限定するものではない。
【００４２】  パターヘッド１０は本発明の機構を複数箇所に用いているが、本発明の実施形態については、この使用箇所数を限定するものではなく、例えば、フェース部材の側面片側から側面対面まで延びる錘部材をフェース部材に片側保持として単体としてもよい。
【００４３】  パターヘッド１０の軸部材であるボルト３００の軸の向きは、天地に対して水平、かつ、フェース面１０１の面に対して４５°傾斜しているが、本発明の実施形態について軸部材の軸の向きは限定しない。例えば、天地に対し垂直に軸を向けても錘部材が軸に対して非対称な形状であればパターヘッドの重心位置は移動が可能であり、パターヘッドの特性を変えることは可能となる。
【００４４】  パターヘッド１０の錘部材２００Ｌおよび錘部材２００Ｒは外観が回転軸に対して非対称であるが、本発明の実施形態については、錘部材は外観が回転軸に対して対称であっても内部構造が回転軸に対して非対称であればよい。例えば、円筒型の錘部材を形成し、外径の芯に対して内径の芯が偏っていれば、この円筒型の錘部材を外径の芯で回転させれば、本発明の目的である、錘部材を構成する質量の一部分は移動することが可能となる。また、前記円筒型の錘部材をパターヘッドのフェース面に対して垂直な軸で回転させれば、パターヘッドの上面の外観、すなわち、パターヘッドを構えた時の形状を変えること無くパターヘッドの特性を変化させることもできる。
【００４５】  本発明の実施形態によれば、パターヘッドを構成する質量のうち、移動した質量の大きさと、前記移動した質量が移動した距離により、パターヘッドの重心の位置およびシャフト軸周りの慣性モーメント量の変化に差がでるが、これらを数値的に限定するものではない。
【００４６】  本発明の実施形態について、パターヘッドを構成する部材に使用する材料に限定はなく、パターヘッドとしての使用に適する堅牢な材料であればよい。また、パターヘッドを構成する部材の材料は同一でなくてもよく、フェース部材と錘部材またはその他パターヘッドを構成する部材を、それぞれ違う材料、例えば、比重の異なる材質を組み合わせて用いてもよい。
【００４７】  パターヘッド１０では、ボルト３００の緩み止めと、摺動音を防ぐ機能をもつ部材としてＯリング５００を用いているが、本発明の実施形態については、前記緩み止めと、前記摺動音を防ぐ機能が満たされるならば、Ｏリングを用いなくてもよい。例えば、フェース部材と錘部材のそれぞれの接合面の間に、相当の特性をもつパッキン材を配置する等としてもよい。
【実施例】
【００４８】  本発明の実施形態により製作したパターヘッド１０で組み立てたパターを、ＰＵＴＴＹＩＥＷを用いて発明の効果を確認した。【００４９】  ＰＵＴＴＹＩＥＷとは、プロジェクターでゴルフボールの軌道を可視化するシステムを用いたパット練習のための装置であり、パッティングに重要なライン取り、ボールスピードおよびストロークのリズム等を養うことができる。ＰＵＴＴＹＩＥＷの表層は人工芝だが、土台はゴルフ場のグリーンと同じ起伏を再現するため、砂利や砂で固めて様々な傾斜を生み出している。グリーン面には様々なカップが設けられており、様々な地点からカップまでの打ち出すべきラインとボールが転がる実際のラインを天井に備えたプロジェクターによりグリーン面に投影し、そのラインに沿ってパッティングすることで、実際の練習グリーンでのトレーニング以上の効果を発揮するシステムである。【００５０】  以下に、前記装置を用いて確認を実施したプロゴルファーの見解を述べる。【００５１】  第一形状と第二形状では種類の異なるパターとなり、第一形状は第二形状に比べ重心距離が長くなり、重心深度は浅くなっている。よって、形状もシャープで力強く打ち抜く、ラインを消すパッティングにはボックス型となる第一形状が適している。【００５２】  つぎに、第二形状は、後方端部に重量を配置した高慣性モーメントを意図した形状である。第二形状ではフェース部中央後方に空間があり、重心が深すぎる感覚がなく、ゴルフボールをしっかりと打ち抜く心地よさを感じる。また、深すぎない重心の効果によりパッティング時にゴルフボールを押し込み、アッパーブローなヘッドの軌道をつくるため、ロフトの活用が容易となる。結果として、目標とする軌道にゴルフボールを乗せ易く、短距離のパッティングでの安定性に効果が期待できる。【００５３】  以上、有資格者による確認の結果より、パターヘッドの構成部材を交換、追加および削除することなく、特性を変える調整機能を提供する課題は、本発明のパターヘッド１０により解決した。
【産業上の利用可能性】
【００５４】  本発明は、パターヘッドに関する他の技術と組わせて実施することも可能である。【００５５】  また、本発明によれば、パターヘッド以外のゴルフクラブヘッドにも利用が可能である。例えば、アイアン型クラブヘッドの背面に、本発明のように軸部材を軸として回転可能な錘部材を備えることで、重心高さおよび重心深さの調整と変更が可能となる。
【符号の説明】
【００５６】  １０  パターヘッド
１００  フェース部材
１０１  フェース面
１０２  トップブレード
１０３  ボルト穴
１０４  Ｏリング固定用座繰り
１０５  ノック穴
１０６  シャフトまたはホーゼル取り付け用穴
２００Ｌ  錘部材
２００Ｒ  錘部材
２０１Ｌ  移動する質量部分
２０１Ｒ  移動する質量部分
２０２Ｌ  ガイド面
２０２Ｒ  ガイド面
２０３Ｌ  ガイド面
２０３Ｒ  ガイド面
２０４  雌ねじ部
２０５  ノックピン取り付け用穴
２０６  Ｏリング固定用座繰り
３００  ボルト
３０１  雄ねじ部
３０２  Ｏリング取り付け用溝
３０３  胴部
３０４  頭部
３０５  工具穴
４００  ノックピン
５００  Ｏリング
【図１】
2020103861.tif 000003
【図２】
2020103861.tif 000004
【図３】
2020103861.tif 000005
【図４】
2020103861.tif 000006
【図５】
2020103861.tif 000007
【図６】
2020103861.tif 000008
【図７】
2020103861.tif 000009
【図８】
2020103861.tif 000010
【図９】
2020103861.tif 000011
【図１０】
2020103861.tif 000012
【図１１】
2020103861.tif 000013
【図１２】
2020103861.tif 000014